(57)【要約】【課題】検出した条件が所定のルールに当てはまる無音部を検出し、ＣＭ区間を正確に検出することで映像信号に対する任意区間を設定する。【解決手段】音声信号処理部からの出力信号を取り込み、信号状態を解析処理する方法であって、前記出力信号を用いて音声レベルが、所定時間、閾値以下の部分を無音部として判定し、前記無音部と次の無音部との時間間隔が一定時間（Ａ）の倍数であるかどうかを判定し、前記時間間隔が一定時間（Ａ）の倍数であれば、無音部の検出をカウントし、前記無音部のカウント数が閾値（Ｂ）個以上あれば、最初と最後に現れた無音部に対して、区切り情報を設定するようにした。【選択図】図１
2006324743.tif 000002
【特許請求の範囲】
【請求項１】
映像信号処理部と音声信号処理部からの信号を処理する装置において、前記音声信号処理部から音声信号を取り込み、信号状態を解析処理する方法であって、
前記音声信号を用いて音声レベルが、所定時間、閾値以下の部分を無音部として判定し、
前記無音部と次の無音部との時間間隔が一定時間（Ａ）の倍数であるかどうかを判定し、
前記時間間隔が一定時間（Ａ）の倍数であれば、無音部の検出をカウントし、
前記無音部のカウント数が閾値（Ｂ）個以上あれば、最初と最後に現れた無音部に対して、区切り情報を設定するようにしたことを特徴とする無音部を利用した映像信号の区切り情報設定方法。
【請求項２】
前記一定時間（Ａ）は、可変可能であることを特徴とする請求項１記載の無音部を利用した映像信号の区切り情報設定方法。
【請求項３】
前記閾値（Ｂ）は、マージンを持つことを特徴とする請求項１記載の無音部を利用した映像信号の区切り情報設定方法。
【請求項４】
前記区切り情報はチャプター区切り情報として、用いられることを特徴とする請求項１記載の無音部を利用した映像信号の区切り情報設定方法。
【請求項５】
前記映像信号処理部からの映像信号、前記音声信号処理部からの前記音声信号は、エンコーダ部において、記録媒体に記録するフォーマットに変換され、前記区切り情報は、前記記録媒体に記録される管理情報内に含まれて、前記記録媒体に記録されることを特徴とする請求項２記載の無音部を利用した映像信号の区切り情報設定方法。
【請求項６】
映像信号処理部と音声信号処理部からの信号を処理する装置において、前記音声信号処理部からの音声信号を取り込み、信号状態を解析処理する装置であって、
前記音声信号を用いて音声レベルが、所定時間、閾値以下の部分を無音部として判定する無音検出装置と、
前記無音部と次の無音部との時間間隔が一定時間（Ａ）の倍数であるかどうかを判定する無音部時間間隔計測部と、
前記時間間隔が一定時間（Ａ）の倍数であれば、無音部の検出をカウントするカウント処理部と、
前記無音部のカウント数が閾値（Ｂ）個以上あれば、最初と最後に現れた無音部に対して、区切り情報を設定する無音部条件判定部と、
を具備したことを特徴とする無音部を利用した映像信号の区切り情報設定装置。
【請求項７】
前記無音部条件判定部からの区切り情報に基づいて、前記映像信号処理部からの映像信号に対してチャプター境界を設定するチャプター境界設定装置を具備したことを特徴とする請求項６記載の無音部を利用した映像信号の区切り情報設定装置。
【請求項８】
さらに案内画面処理制御部を有し、この案内画面処理制御部は、
前記区切り情報を作成する機能をオン又はオフを設定する項目である「本編チャプター自動分割」含む画面を表示器に出力することを特徴とする請求項６記載の無音部を利用した映像信号の区切り情報設定装置。
【請求項９】
さらに案内画面処理制御部を有し、この案内画面処理制御部は、
前記区切り情報を作成する方法とは異なる方法によりチャプター分割点を作成する機能を設定する項目である「チャプター分割」を含む画面を表示器に出力することを特徴とする請求項６記載の無音部を利用した映像信号の区切り情報設定装置。
【発明の詳細な説明】
【技術分野】
【０００１】
本発明は、映像構造化を得るために、無音部を利用した映像信号の区切り情報設定方法及び装置に関するものである。つまり映像データ及び又は音声信号の特徴を捕らえて、例えばチャプター分割して映像を構造化する場合に利用される方法及び装置である。
【背景技術】
【０００２】
テレビジョン放送信号では、通常は、プログラムの境界、あるいはプログラムの途中においてコマーシャル（ＣＭ）タイムが設けられている。このＣＭ部を検出し、プログラムとともに、ＣＭ区間の最初と最後の位置情報を記録媒体に記録する装置が開発されている（特許文献１参照）。またＣＭ部を検出し、番組の再生時にＣＭ部を早送り再生する装置も開発されている（例えば特許文献２及び３）。
【特許文献１】特開平０９−２８４７０６号公報
【特許文献２】特開平０８−２３５６７６号公報
【特許文献３】特開２００２−２４７５１６公報
【発明の開示】
【発明が解決しようとする課題】
【０００３】
従来の技術おいて、ＣＭ区間を検出する場合、無音部を検出して、この無音部に区分情報を設定している。しかし、複数のＣＭが連続して放送された場合、つまり、複数の異なるスポンサーがＣＭする時間がまとまって確保されていた場合、異なるＣＭ間にそれぞれ無音部が繰り返し現れる。この結果、連続したＣＭ期間中に複数の区分情報が設定されてしまい、一定間隔で構造化のためのチャプターではないチャプターが多数設定されてしまうことがある。このような場合、編集処理を行う場合やＣＭのスキップ再生を行う場合に不都合が生じる。
【０００４】
そこでこの発明では、無音部を検出したとしても、検出した条件が所定のルールに当てはまらない場合には、この無音部には区分情報を設定しないようにし、ＣＭ区間を正確に検出できるようにした映像信号に対する任意区間を設定方法及び装置を提供することを目的とする。別の見方から言うと、検出した条件が所定のルールに当てはまる無音部を検出し、この無音部を区切りとするＣＭ区間を正確に検出することで映像信号に対する任意区間を設定する無音部を利用した映像信号の区切り情報設定方法及び装置を提供することにある。
【課題を解決するための手段】
【０００５】
この発明では、音声信号が入力され、音声信号レベルが、所定時間、閾値以下の部分を無音部とし、無音部と次の無音部との時間間隔が一定時間（Ａ）の倍数であるかどうかを判定し、前記時間間隔が一定時間（Ａ）の倍数であれば、無音部をカウントし、前記無音部のカウント数が閾値（Ｂ）個以上あれば、最初と最後に現れた無音部に対して、チャプター区切り情報を設定するようにした。
【発明の効果】
【０００６】
上記のように、この発明では無音部の全てに区切り情報を設定するのではなく、無音部の間隔が一定時間（Ａ）の倍数であること、かつ、無音部のカウント数が閾値（Ｂ）個以上まとまっていることを条件として、最初と最後に現れた無音部に区切り情報を設定するので、適切な区切りをつけることが可能である。
【発明を実施するための最良の形態】
【０００７】
以下、図面を参照してこの発明に係る実施の形態を説明する。図１はこの発明が適用された装置の基本的な構成例を示している。図１において、放送信号は、チューナ２１にて受信される。チューナ２１からは、選局されたチャンネルの番組の映像・音声信号が出力される。音声信号は、音声信号処理部２２にて復調・復号処理される。音声信号処理部２２の出力は、エンコーダ部２３及び後述する無音検出装置２５に供給される。
【０００８】
エンコーダ部２３は、ＤＶＤ規格に基づき映像信号、音声信号を所定のフォーマットにエンコードし、その出力をデータ処理部２４に供給する。データ処理部２４は、ハードディスク或いはＤＶＤ−Ｒ，あるいはＤＶＤ−ＲＷ，あるいはＤＶＤ−ＲＡＭに対して、情報を変調して記録することができる。また上記のディスクから読み出した情報を復調処理することができる。またエラー訂正コード（ＥＣＣ）に関する処理機能も含む。
【０００９】
音声信号処理部２２の出力は、さらに無音検出装置２５にも供給される。無音検出装置２５は、所定時間音声レベルが閾値以下の部分を無音部として検出する。このとき無音検出装置２５は、無音情報を出力し、無音時刻記録装置２６に供給する。つまり無音部時刻記録装置２６は、番組における無音部情報（無音部が判定された時刻の情報）を蓄積している。
【００１０】
無音時刻記録装置２６に記録された無音時刻情報は、無音部間隔計算装置２７にて利用される。ここでは無音部と次の無音部との時間間隔が一定時間（Ａ）の倍数であるかどうかを判定している。そして、時間間隔が一定時間（Ａ）の倍数であれば、無音部をカウントし、無音部のカウント数が閾値（Ｂ）個以上あれば、最初と最後に現れた無音部に対して、チャプター区切り情報を設定するために、最初をＣＭ開始情報、最後をＣＭ終了情報として、チャプター境界設定装置２８に供給する。
【００１１】
これにより、チャプター境界設定装置２８は、チャプター情報を生成して、データ処理部２４に供給する。データ処理部２４は、チャプター情報をＤＶＤ規格のマネジメント情報内のエントリーポイントに変換して管理する。
【００１２】
なお、映像情報に関しては、映像信号処理部２９にて処理され、エンコーダ部２３に入力され、所定のＤＶＤ規格のデータに変換されている。そして、エンコーダ部２３の出力が、データ処理部２４を介して、記録媒体（例えば光ディスク）１０１に記録される。記録媒体は、ディスクに限らず半導体メモリであってもよい。
【００１３】
ここで、上記の無音部間隔計算装置２７は、さらにブロック化すると無音部と次の無音部との時間間隔が一定時間（Ａ）の倍数であるかどうかを判定する無音部時間間隔計測部２７ａと、時間間隔が一定時間（Ａ）の倍数であれば、無音部の検出をカウントする無音部かうんと処理部２７ｂと、無音部のカウント数が閾値（Ｂ）個以上あれば、最初と最後に現れた無音部に対して、区切り情報を設定する無音部の条件判定部２７ｃとを含む。
【００１４】
図２には、上記の無音検出装置２５、無音時刻記憶装置２６、無音部間隔計算装置２７、チャプター境界設定装置２８により、無音部が検出された時間、チャプター境界設定のためにチャプター情報が得られた時刻を時間軸上で示している。説明を分かりやすくするために、単純化して説明する。この図は、例えば１つの番組中（例えば録画予約した番組）の中で、２回のコマーシャル期間があった例である。
【００１５】
そして、第１回目のコマーシャル期間にＣＭ１，ＣＭ２，ＣＭ３，ＣＭ４の４つのコマーシャルが放送され、第２回目のコマーシャル期間にＣＭ５、ＣＭ１，ＣＭ２の３つのコマーシャルが放送された例を示している。
【００１６】
例えば第１回目のコマーシャル期間を見ると、各コマーシャルの区切り部では、無音期間があるために、無音部検出フラグが得られる。しかしＣＭ４の後は、後述する条件を満足していないために、ＣＭ４の終了がチャプター境界位置として判定されている。また最初のＣＭ１のスタート直前の無音部検出フラグの位置がチャプター境界として設定されている。つまり、コマーシャル期間の前後にチャプター境界を示すフラグが得られることになる。同様に、第２回目のコマーシャル期間においても無音部の全てにチャプター境界が設定されるのではなく、所定条件を満足する（連続して放送される）複数のＣＭをグループ化し、グループを１つの単位として、チャプター境界を設定している。
【００１７】
図３には、上述した処理を行うステップを大きなブロックで示している。１つの番組に対するチャプター設定処理が終了しているかどうかを判定し（ステップＳＡ１）、終了していなければ、無音部を検出するために無音検出処理を行う（ステップＳＡ２）。無音部が検出されると、先の説明のように無音部を検出した時間が記憶される（ステップＳＡ３）。番組の終わりに管理情報を処理するとき、図２で説明したように、チャプター境界が管理情報内のエントリーポイントとして設定される。
【００１８】
図４は、コマーシャル期間にて、無音部が次々と検出されたときに、ＣＭ開始点のチャプター境界と、ＣＭ終了点のチャプター境界を決定するときの様子を示すフローチャートである。処理がスタートすると、まず、無音部を検出したときに、無音部の順番を示す情報としてｉを用いる。最初の無音部が検出されると、ｉ←１とし、ＣＭカウント値（ｃｍ＿ｃｏｕｎｔ）は、ｃｍ＿ｃｏｕｎｔ←０とし、最後の無音部の時刻（ｌａｓｔ＿ｓｉｌｅｎｔ）をｌａｓｔ＿ｓｉｌｅｎｔ←０とし、検出した無音部の時刻（ｓｉｌｅｎｔ）もｓｉｌｅｎｔ←０とする（ステップＳＢ１）。
【００１９】
無音部を検出したとき、無音部の個数がｉよりも小さい場合には、前回の時刻（ｓｉｌｅｎｔ）を、ｌａｓｔ＿ｓｉｌｅｎｔ←ｓｉｌｅｎｔとし、今回の時刻（ｓｉｌｅｎｔ）を、ｉ番目の無音部の時刻とする（ステップＳＢ２、ＳＢ３）。次に（ｓｉｌｅｎｔ）−（ｌａｓｔ＿ｓｉｌｅｎｔ）の計算を行い、この値が１５秒の倍数であるかどうかを判定する。コマーシャルは１５秒単位あるいはその倍数の単位で放送されることが多いからである。
【００２０】
１５秒（値Ａ）もしくはその倍数であれば、ｃｍ＿ｃｏｕｎｔ＝０かどうかを判定する（ステップＳＢ５）。０のときは、コマーシャルカウントが開始された直後である。ステップＳＢ６にて、ｉ−１がコマーシャルの開始時刻に相当するため、start←ｉ−１とする。
【００２１】
ステップＳＢ５でｃｍ＿ｃｏｕｎｔ≠０の場合は、すでにコマーシャル期間がスタートしていることであり、ステップＳＢ７に進みｃｍ＿ｃｏｕｎｔに＋１を行う。ステップＳＢ７の後は、（ｉ＋１）の処理を行い（ステップＳＢ８）、ステップＳＢ２に戻る。
【００２２】
先のステップＳＢ４において、（ｓｉｌｅｎｔ）−（ｌａｓｔ＿ｓｉｌｅｎｔ）の計算結果が、１５秒（値Ａ）の倍数でない場合には、コマーシャル期間でないものと見なす。このときはステップＳＢ９に進み、これまで蓄積しているｃｍ＿ｃｏｕｎｔがｃｍ＿ｃｏｕｎｔ＞閾値（Ｂ）を満足するかどうかを判断する。満足する場合には、複数のコマーシャルグループが放送されたものと判断し、このときのスタート（start）と累積加算された現在のｉが得られた時点をＣＭ開始点、ＣＭ終了点として、チャプター境界設定装置に報告される（ステップＳＢ１０）。この後は、ｃｍ＿ｃｏｕｎｔ＝０、ｉ＝０にセットする。
【００２３】
なお、一定時間（値Ａ）は、可変可能としてもよい。値Ａを可変するには、特殊設定用のユーザ案内メニューを用意して可変できるようにする。また閾値（Ｂ）は、一定のマージンを持たせてもよい。
【００２４】
図５は、チャプター境界設定装置２８における動作である。ＣＭの開始点の情報、及び終了点の情報を取得して（ステップＳＣ１）、チャプター境界を設定（ステップＳＣ２）する手順を示している。
【００２５】
上記したようにこの発明の方法及び装置によると、コマーシャル放送期間において、無音部を検出し、全ての位置をチャプター境界とするのではなく、連続した複数のコマーシャル（連続コマーシャルグループ）の開始位置と終了位置を検出している。
【００２６】
ユーザは、選択により上記の機能の動作オン、動作オフを設定することができる。この場合、ユーザは、番組予約時の画面で詳細設定ボタンを選択し、詳細設定画面を見ながら、動作オン、オフを選択することができる。
【００２７】
図６は、１つの番組を録画予約するときに、予約画面の「詳細設定」ボタンを選択し、クリックしたときに現れる詳細設定画面６０の例である。図に示すように、「本編自動チャプター分割」の項目６０ａが「入」になっている。この状態であると、先に説明したチャプター分割動作が得られることを意味する。リモコン操作によりカーソルを項目６０ａに合わせて、決定キーを押すことで、「入」、「切」をサイクリックに切り替えることができる。
【００２８】
さらにこの画面６０には、映像信号の構造解析チャプター分割を行うものとして、「構造解析チャプター分割」という項目６０ｂが設けられている。この「構造解析チャプター分割」による機能と、上述した「本編自動チャプター分割」による機能（ＣＭ期間検出が正確）とは、チャプター分割処理が異なる。
【００２９】
図７、図８に示すように、構造解析チャプター分割を行う例えば「構造解析チャプター分割」による機能は、主として映像データを分析し、フィールド或いはフレーム画像の類似度を判定する。そして、カット検出、類似ショットの判定、対話度数の算出などを行い、チャプター境界を決定する方法である。ここではカット点とカット点との間をショットと称している。
【００３０】
上記の「カット検出」とは、ＩピクチャフレームとＩピクチャフレーム（もしくは０．５秒ごとのフレーム）を比較し、画面全体の色相が大きく異なるか、輝度変化が大きい領域が予め設定しているパラメータより多い場合は、フレームは非類似と判定する。そして、０．５秒離れたフレーム同士を順次比較しで、非類似のフレームの組の数が、閾値以上の区間があった場合には、この区間の任意の点にカット点を設定する方法である。図７には、矢印で示すフレーム相互間の類似性を判定している様子を示している。そして、非類似のフレームの組が多数存在している部分で、カット点を設定した様子を示している。ｆｎ、ｆｎ−１，ｆｎ−２，…、ｆｅ、ｆｅ−１，ｆｅ−２，…、は、フレームである。
【００３１】
上記の「類似ショット検出」とは、過去のカット点からさかもどった数フレームと、直近のカット点から後の数フレームとの総当りでフレーム間の類似判定を行う。そして、「類似」と判断したフレームの組の数が閾値以上の場合、双方のショットは、類似であると判定するものである。つまり、図８に示すように、カット点とカット点との間にあるショットＡ，Ｄ間のフレームが類似しているかどうかを判定する。図のフレームの組み合わせ例であると、類似判定は、例えば丸印を付している数が得られることになる。
【００３２】
「対話検出」と「対話度数」は、次のように定義されている。（ａ）類似ショットが集中的に登場する区間（部分）は、意味のある区間である。（ｂ）類似ショットがどれくらいの密度で出現するかを数値化するために「対話度数」という指標を導入している。「対話度数」は、以下の条件を満たすほど大きくなる。（ｂ１）ショットが多くふくまれている（＝カット点が頻繁に現れる）。（ｂ２）対話に貢献している（＝類似している）ショットの個数が多い。（ｂ３）対話に貢献している（＝類似している）ショットの合計時間が長い。
【００３３】
上記の（ｃ）対話度数をもとに、対話区間を算出する。そして（ｄ）近接した対話区間は接続する。
【００３４】
「構造解析チャプター分割」機能は、基本的に上記の処理により実行される。カット点を設定し、類似ショットを検出する場合は、上記の処理で足りる場合がある。しかし、複数の番組構造を再構築する機能を追加するには、さらに以下のような機能を含んでもよい。
【００３５】
即ち、「ニュース番組固有処理」機能、「その他の番組処理」機能である。「ニュース番組固有処理」機能、話題先頭ショット検出を行うもので、番組内にある程度分布し、ある程度長く、ある回数以上出現する類似ショットを「話題の先頭ショット」と仮定する。そして「話題の先頭ショット」が連続している場合、連続の最後のショットを真の「話題の先頭ショット」、それ以外を「前の話題のフォローアップ」と判定するのである。「その他の番組処理」機能は、「コーナータイトル検出」機能を設定している。この機能は番組内に広く分布し、対話区間に属さず、ある回数以上出現する類似ショットを「コーナータイトル」であると判定する。また、番組開始後しばらくたってもコーナータイトルが現れない場合は、「コーナータイトルを持たない番組」とみなすのである。
【００３６】
上記のように、番組のカット点の情報、類似ショットの情報、ニュース番組の話題先頭の情報、その他の番組のコーナータイトルの情報が得られると、番組を編集する場合、あるいは、番組のチャプターを構築する場合に、有効な情報として利用可能となる。
【００３７】
上記の例では、録画予約画面から詳細設定ボタンをクリックしたときに現れる画面６０−１上で、「構造解析チャプター分割」という項目６０ｂが現れた例を示した。しかし、「構造解析チャプター分割」を設定するための項目６０ｂは、メニュー画面から録画機器を選択し、次に、録画機能を設定する画面上でも現れる。
【００３８】
図９には、「構造解析チャプター分割」という項目６０ｂが録画機能を設定する画面６０−２上で現れた例を示している。この画面でも「構造解析チャプター分割」を行うのか否かを設定するための項目６０ｂが現れている。
【００３９】
上述した画面６０１，６０−２において、リモートコントローラの操作部のマークが表示されている。つまり上下方向、左右方向へカーソル移動するためのカーソルキーのマークと、決定キーのマークとが表示されている。これは、ユーザの操作を案内するのに有効なマークである。
【００４０】
図１０はこの発明が適用された記録再生装置の全体構成を示す図である。この記録再生装置は、２種類のディスクドライブ部を有する。光ディスク１０１は、ビデオファイルを構築できる情報記録媒体である。ディスクドライブ部１０２は、光ディスク１０１を回転駆動し、情報の読み書きを実行する。１０４はハードディスクを駆動するハードディスクドライブ（ＨＤＤ）部である。
【００４１】
データプロセッサ部１０３は、ディスクドライブ部１０２及びハードディスクドライブ部１０４に記録データを供給することができ、また、再生された信号を受け取ることができる。ディスクドライブ部１０２は、光ディスク１０１に対する回転制御系、レーザ駆動系、光学系などを有する。
【００４２】
データプロセッサ部１０３は、記録または再生単位のデータを取り扱うもので、バッファ回路、変調・復調回路、エラー訂正部などを含む。
【００４３】
この記録再生装置は、録画側を構成するエンコーダ部２００と、再生側を構成するデコーダ部３００と、装置本体の動作を統括して制御するマイクロコンピュータブロック４００とを主たる構成要素としている。エンコーダ部２００は、入力されたアナログビデオ信号やアナログオーディオ信号をデジタル化するビデオ用及びオーディオ用のアナログデジタルコンバータと、ビデオエンコーダと、オーディオエンコーダとを有する。さらに、映画の字幕などを圧縮する副映像エンコーダも含む。
【００４４】
エンコーダ部２００の出力は、バッファメモリ２０３を含むフォーマッタ２０４にて所定のＤＶＤ（ＤＶＤ−Ｒ，ＤＶＤ−ＲＷ，ＤＶＤ−ＲＡＭ、など）フォーマットに変換され、先のデータプロセッサ部１０３に供給される。エンコーダ部２００には、ＡＶ入力部２１１から外部アナログビデオ信号と外部アナログオーディオ信号、あるいはＴＶチューナ２１２からアナログビデオ信号とアナログオーディオ信号が入力される。なお、エンコーダ部２００は、圧縮されたデジタルビデオ信号やデジタルオーディオ信号が直接入力されるときは、圧縮デジタルビデオ信号やデジタルオーディオ信号を直接フォーマッタ２０４に供給することもできる。またエンコーダ部２００は、アナログデジタル変換されたデジタルビデオ信号及びオーディオ信号を、ビデオミキシング部３０５及びオーディオセレクタ３０１にそれぞれ直接供給することもできる。
【００４５】
エンコーダ部２００に含まれるビデオエンコーダでは、デジタルビデオ信号はＭＰＥＧ２またはＭＰＥＧ１規格に基づいた可変ビットレートで圧縮されたデジタルビデオ信号に変換される。オーディオ信号は、ＭＰＥＧまたはＡＣ−３規格に基づいて固定ビットレートで圧縮されたデジタルオーディオ信号、あるいはリニアＰＣＭのデジタルオーディオ信号に変換される。
【００４６】
副映像信号がＡＶ入力部２１１から入力された場合（例えば副映像信号の独立出力端子付ＤＶＤビデオプレーヤからの信号など）、あるいはこのようなデータ構成のＤＶＤビデオ信号が放送されてそれがＴＶチューナ２１２で受信された場合は、ＤＶＤビデオ信号中の副映像信号が副映像エンコーダでエンコード（ランレングス符号化）されて副映像のビットマップとなる。
【００４７】
エンコードされたデジタルビデオ信号、デジタルオーディオ信号、副映像データは、フォーマッタ２０４にてパック化され、ビデオパック、オーディオパック、副映像パックとなり、さらにこれらが集合されてＤＶＤ−レコーディング規格（例えばＤＶＤ−ＲＡＭ、ＤＶＤ−Ｒ、ＤＶＤ−ＲＷなどに記録する規格）で規定されたフォーマットに変換される。
【００４８】
ここでこの装置は、フォーマッタ２０４でフォーマット化された情報（ビデオ、オーディオ、副映像データなどのパック）及び作成された管理情報を、データプロセッサ部１０３を介してハードディスクドライブ部１０４あるいはデータディスクドライブ部１０２に供給し、ハードディスクあるいは光ディスク１０１に記録することができる。またハードディスクあるいは光ディスクに記録された情報を、データプロセッサ部１０３、ディスクドライブ部１０２を介して光ディスク１０１あるいはハードディスクに記録することもできる。
【００４９】
またハードディスクあるいは光ディスク１０１に記録されている複数番組のビデオオブジェクトを、一部削除したり、異なる番組のオブジェクトをつなげたり、といった編集処理を行うこともできる。これは、ＤＶＤフォーマットが取り扱うデータ単位を定義し、このデータ単位で信号処理することで編集を容易にしているからである。
【００５０】
マイクロコンピュータブロック４００は、ＭＰＵ（マイクロプロセッシングユニット）、またはＣＰＵ（セントラルプロセッシングユニット）と、制御プログラム等が書きこまれたＲＯＭと、プログラム実行に必要なワークエリアを提供するためのＲＡＭとを含んでいる。
【００５１】
マイクロコンピュータブロック４００のＭＰＵは、そのＲＯＭに格納された制御プログラムに従い、ＲＡＭをワークエリアとして用いて、欠陥場所検出、未記録領域検出、録画情報記録位置設定、ＵＤＦ記録、ＡＶアドレス設定などを実行する。
【００５２】
またマイクロコンピュータブロック４００は、システム全体を制御するために必要な情報処理部を有するもので、ワークＲＡＭ、ディレクトリ検出部、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部などを備える。
【００５３】
ＭＰＵの実行結果のうち、ユーザに通知すべき内容は、映像データ記録再生装置の表示部４０２に表示されるか、またはモニターディスプレイにＯＳＤ（オンスクリーンディスプレイ）表示される。またマイクロコンピュータブロック４００は、この装置を操作するための操作信号を与えるキー入力部４０１を有する。マイクロコンピュータブロック４００が、ディスクドライブ部１０２、ハードディスクドライブ部１０４、データプロセッサ部１０３、エンコーダ部２００及び／またはデコーダ部３００などを制御するタイミングは、ＳＴＣ（システムタイムクロック）４０３からの時間データに基づいて実行することができる。
【００５４】
録画や再生の動作は、通常はＳＴＣ４０３からのタイムクロックに同期して実行されるが、それ以外の処理はＳＴＣ４０３とは独立したタイミングで実行されてもよい。
【００５５】
デコーダ部３００は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダとを有する。またデコードされた主映像にデコードされた副映像を適宜合成し、主映像にメニュー、ハイライトボタン、字幕やその他の副映像を重ねて出力するビデオプロセッサを備えている。
【００５６】
デコーダ部３００の出力ビデオ信号は、ビデオミキシング部３０５に入力される。ビデオミキシング部３０５では、テキストデータの合成が行われる。またビデオミキシング部３０５には、ＴＶチューナ２１２やＡ／Ｖ入力部２１１からの信号を直接取り込むラインもまた接続されている。ビデオミキシング部３０５には、バッファとして用いるフレームメモリ３０６が接続されている。ビデオミキシング部３０５の出力がアナログ出力の場合はＩ／Ｆ（インタフェース）３０７を介して外部出力され、デジタル出力の場合はデジタルアナログ変換器３０８を介して外部へ出力される。
【００５７】
また、ビデオミキシング部３０５は、ＧＵＩとしての案内画面（図６、図９にて説明した画面）を作るための画像信号を出力することができる。この画像信号は、マイクロコンピュータブロック４００内の案内画面処理制御部により制御されている。さらに、操作入力判定部４０ａ，録画予約制御部４０ｂ、編集処理制御部４０ｃ、案内画面処理制御部４０ｄなども設けられており、制御部４００は、装置の全体を統括することができる。
【００５８】
またマイクロコンピュータブロック４００では、上記した「本編自動チャプター分割」を行うための制御ブロック４０ｅ、「構造解析チャプター分割」行うための制御ブロック４０ｆが設けられている。図１で説明した無音検出装置２５、無音時刻記憶装置２６、無音部間隔計算装置２７、チャプター境界設定装置２８およびデータ処理部２４の一部は、上記した「本編自動チャプター分割」を行うための制御ブロック４０ｅに対応する。
【００５９】
また、図１０と図１の対応関係において、チューナ２１２が、チューナ２１に対応し、エンコーダ部２００が、音声信号処理部２２、映像信号処理部２９、エンコーダ部２３に対応する。データプロセッサ１０３とデータ処理部２４が対応する。
【００６０】
デコーダ部３００の出力オーディオ信号は、セレクタ３０１を介してデジタルアナログ変換器３０２でアナログ変換され外部に出力される。セレクタ３０１は、マイクロコンピュータブロック４００からのセレクト信号により制御される。これによりセレクタ３０１は、ＴＶチューナ２１２やＡ／Ｖ入力部２１１からのデジタル信号を直接モニタする時、エンコーダ部２００をスルーした信号を直接選択することも可能である。
【００６１】
なお、エンコーダ部２００のフォーマッタでは、録画中、各切り分け情報を作成し、定期的にマイクロコンピュータブロック４００のＭＰＵへ送る（ＧＯＰ先頭割り込み時などの情報）。切り分け情報としては、ＶＯＢＵ（ビデオオブジェクトユニット）のパック数、ＶＯＢＵ先頭からのＩピクチャのエンドアドレス、ＶＯＢＵの再生時間などである。
【００６２】
同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータなどを保存し、再生時、各デコーダ部ではこの情報を元に初期設定が行われる。
【００６３】
また本装置では、ビデオファイルは１ディスクに１ファイルとしている。またデータをアクセス（シーク）している間に、途切れないで再生を続けるために、最低限連続する情報単位（サイズ）を決めている。この単位をＣＤＡ（コンティギュアス・データ・エリア）という。ＣＤＡサイズは、ＥＣＣ（エラー訂正コード）ブロック（１６セクタ）の倍数であり、ファイルシステムではこのＣＤＡ単位で記録を行っている。
【００６４】
データプロセッサ部１０３は、エンコーダ部２００のフォーマッタからＶＯＢＵ単位のデータを受け取り、ＣＤＡ単位のデータをディスクドライブ部１０２あるいはハードディスクドライブ部１０４に供給している。またマイクロコンピュータブロック４００のＭＰＵは、記録したデータを再生するのに必要な管理情報を作成し、データ記録終了のコマンドを認識すると、作成した管理情報をデータプロセッサ部１０３に送る。これにより、管理情報がディスクに記録される。従って、エンコードが行われているとき、エンコーダ部２００からマイクロコンピュータブロック４００のＭＰＵは、データ単位の情報（切り分け情報など）を受け取る。また、マイクロコンピュータブロック４００のＭＰＵは、記録開始時には光ディスク及びハードディスクから読み取った管理情報（ファイルシステム）を認識し、各ディスクの未記録エリアを認識し、データ上の記録エリアをデータプロセッサ部１０３を介してディスクに設定している。
【００６５】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００６６】
【図１】この発明の一実施の形態における基本的な構成を示す図である。
【図２】この発明に係る本編自動チャプター分割の分割原理を説明するために示した説明図である。
【図３】この発明に係る本編自動チャプター分割に用いられる無音部検出ブロックを説明するために示したフローチャートである。
【図４】この発明に係る本編自動チャプター分割に用いられるＣＭ検出動作の処理を説明するために示したフローチャートである。
【図５】この発明に係る本編自動チャプター分割の分割動作の大きなブロックを説明するために示したフローチャートである。
【図６】この発明に係る本編自動チャプター分割動作を設定するための画面の例を示す図である。
【図７】この発明に係る本編自動チャプター分割動作に類似した、他のチャプ分割処理の１つの例を説明する図である。
【図８】この発明に係る本編自動チャプター分割動作に類似した、他のチャプ分割処理のさらに別の例を説明する図である。
【図９】図７、図８で説明したチャプ分割処理を設定するための画面の例を示す図である。
【図１０】この発明が適用された記録再生装置の構成ブロックを示す説明図である。
【符号の説明】
【００６７】
２１…チューナ、２２…音声信号処理部、２３…エンコーダぶ、２４…データ処理部、２５…無音検出装置、２６…無音時刻記録装置、２７…無音部間隔計算装置、２８…チャプター境界設定装置。
【図１】
2006324743.tif 000003
【図２】
2006324743.tif 000004
【図３】
2006324743.tif 000005
【図４】
2006324743.tif 000006
【図５】
2006324743.tif 000007
【図６】
2006324743.tif 000008
【図７】
2006324743.tif 000009
【図８】
2006324743.tif 000010
【図９】
2006324743.tif 000011
【図１０】
2006324743.tif 000012